(57)【特許請求の範囲】
【請求項１】
バルコニー手摺の屋外側に面格子が設けられており、
前記バルコニー手摺は、
バルコニー床の屋外側縁部に互いに間隔を空けて設けられた複数の支柱と、
前記複数の支柱間に架け渡されて設けられた透光性を有する手摺面材と、を備えており、
前記面格子は、
互いに間隔を空けて配置された複数の縦格子材と、
前記複数の縦格子材の下端部を連結するとともに、前記バルコニー手摺における前記複数の支柱の下端部間に架け渡されて固定された長尺な連結部と、を備えており、
前記面格子における前記連結部は、前記バルコニー手摺における前記手摺面材の下方に配置されており、
前記連結部は、
前記複数の支柱に対して固定された連結部本体と、
前記連結部本体の上面側から前記バルコニー手摺側を介して前記連結部本体の下面側にかけて設けられて、前記連結部本体と共に前記複数の支柱に固定された第一カバー材と、
前記連結部本体および前記第一カバー材の上面側から前記複数の縦格子材側を介して前記連結部本体および前記第一カバー材の下面側にかけて設けられて、前記複数の縦格子材に固定された第二カバー材と、を有することを特徴とする面格子の設置構造。
【請求項２】
請求項１に記載の面格子の設置構造において、
前記バルコニー床の屋外側縁部は、床面よりも上方に立ち上がる立ち上がり部とされ、この立ち上がり部の上端面に前記複数の支柱が固定されており、
前記立ち上がり部の上端部には、前記複数の支柱の下端部における固定箇所を被覆する立ち上がり笠木が設けられており、
前記面格子における前記連結部は、前記立ち上がり笠木の上方に配置されていることを特徴とする面格子の設置構造。
【請求項３】
請求項１または２に記載の面格子の設置構造において、
前記支柱は、
前記バルコニー床の屋外側縁部に固定された支柱本体と、
前記支柱本体に被せられた支柱カバー材と、を有しており、
前記連結部における前記連結部本体および前記第一カバー材は、前記支柱における前記支柱カバー材を貫通し、かつ前記支柱本体にねじ込まれた固定具によって固定されていることを特徴とする面格子の設置構造。
【請求項４】
請求項１〜３のいずれか一項に記載の面格子の設置構造において、
前記バルコニー手摺は、前記バルコニー床の屋外側縁部における一端部から他端部にかけての範囲で設けられており、
前記面格子は、前記バルコニー手摺が設けられる範囲よりも小さい範囲で前記バルコニー手摺の屋外側に設けられていることを特徴とする面格子の設置構造。
【請求項５】
請求項１〜４のいずれか一項に記載の面格子の設置構造において、
前記面格子は、前記バルコニー床の屋外側縁部と、前記バルコニー床の上方において屋外側に張り出す上部構造部の屋外側縁部と、の間に収まった状態で前記バルコニー手摺の屋外側に設けられていることを特徴とする面格子の設置構造。
【発明の詳細な説明】
【技術分野】
【０００１】
本発明は、面格子の設置構造に関する。
【背景技術】
【０００２】
住宅等の建物には、例えば、屋外から建物内部への視線を遮る目的や、外壁面の防水性を向上させる目的、建物の外観性を向上させる目的などで面格子が取り付けられる場合がある（例えば、特許文献１参照）。
特許文献１に記載された面格子は、外壁面に固定された複数の横桟に、複数の縦格子材からなる格子状パネルが取り付けられて形成されている。
【先行技術文献】
【特許文献】
【０００３】
【特許文献１】特開２０１０−１４４４６５号公報
【発明の概要】
【発明が解決しようとする課題】
【０００４】
従来の面格子においては、複数の横桟を外壁面に固定するに当たってネジ等の固定具が用いられており、外壁面に穴が開けられることになる。そのため、外壁面のうち、横桟が固定された位置には防水処理が必要となり、余計な施工手間がかかる場合がある。特に、面格子をバルコニーに面して設置する場合には、バルコニー手摺の近傍に設けられることになるが、このバルコニー手摺の設置構造との関わり合いを考慮すると、施工が複雑化する場合があった。
【０００５】
本発明は上記事情に鑑みてなされたものであり、面格子がバルコニーに面して設置される場合においてバルコニー周りの施工性を向上できるとともに防水を確保できる面格子の設置構造を提供することを目的とする。
【課題を解決するための手段】
【０００６】
請求項１に記載の発明は、面格子２０の設置構造であって、例えば図１〜図８に示すように、バルコニー手摺１０の屋外側に面格子２０が設けられており、
前記バルコニー手摺１０は、
バルコニー床５の屋外側縁部に互いに間隔を空けて設けられた複数の支柱１１と、
前記複数の支柱１１間に架け渡されて設けられた透光性を有する手摺面材１２と、を備えており、
前記面格子２０は、
互いに間隔を空けて配置された複数の縦格子材２１と、
前記複数の縦格子材２１の下端部を連結するとともに、前記バルコニー手摺１０における前記複数の支柱１１の下端部間に架け渡されて固定された長尺な連結部２２と、を備えており、
前記面格子２０における前記連結部２２は、前記バルコニー手摺１０における前記手摺面材１２の下方に配置されており、
前記連結部２２は、
前記複数の支柱１１に対して固定された連結部本体２５と、
前記連結部本体２５の上面側から前記バルコニー手摺１０側を介して前記連結部本体２５の下面側にかけて設けられて、前記連結部本体２５と共に前記複数の支柱１１に固定された第一カバー材２６と、
前記連結部本体２５および前記第一カバー材２６の上面側から前記複数の縦格子材２１側を介して前記連結部本体２５および前記第一カバー材２６の下面側にかけて設けられて、前記複数の縦格子材２１に固定された第二カバー材２７と、を有することを特徴とする。
【０００７】
請求項１に記載の発明によれば、面格子２０が、複数の縦格子材２１の下端部を連結するとともに、バルコニー手摺１０における複数の支柱１１の下端部間に架け渡されて固定された長尺な連結部２２を備えるので、面格子２０をバルコニー手摺１０の屋外側に設置する場合においては、面格子２０の少なくとも下端部を外壁面に取り付ける必要がなくなる。そして、この面格子２０は、少なくとも下端部が、例えば面格子２０が外壁面に取り付けられる場合よりも防水の面で影響の出にくい複数の支柱１１に固定された状態となっている。したがって、連結部２２が固定された位置における防水処理を比較的簡易に行うことができ、余計な施工手間がかからない。
面格子２０における連結部２２は、バルコニー手摺１０における手摺面材１２の下方に配置されているので、連結部２２によって連結された複数の縦格子材２１を、手摺面材１２の屋外側に配置することが可能となる。また、これによって、手摺面材１２の下端部の位置と、支柱１１に固定された連結部２２の位置とが近接した状態となるので、施工しやすい。
さらに、バルコニー手摺１０は、複数の支柱１１間に架け渡されて設けられた透光性を有する手摺面材１２を備えるので、バルコニー２側への採光を確保できる。
また、連結部２２が、連結部本体２５と、この連結部本体２５と共に複数の支柱１１に固定された第一カバー材２６と、連結部本体２５および第一カバー材２６の上面側から複数の縦格子材２１側を介して連結部本体２５および第一カバー材２６の下面側にかけて設けられて、複数の縦格子材２１に固定された第二カバー材２７と、を有するので、第二カバー材２７によって連結部本体２５と第一カバー材２６とを被覆するようにして、面格子２０をバルコニー手摺１０の屋外側に設けることができる。また、連結部本体２５と第一カバー材２６とを被覆する第二カバー材２７が、連結部本体２５および第一カバー材２６よりも屋外側に位置した状態となるので、防水性を向上させることができる。
【０００８】
請求項２に記載の発明は、例えば図２，図６に示すように、請求項１に記載の面格子２０の設置構造において、
前記バルコニー床５の屋外側縁部は、床面（床面材２ｂ）よりも上方に立ち上がる立ち上がり部２ｃとされ、この立ち上がり部２ｃの上端面に前記複数の支柱１１が固定されており、
前記立ち上がり部２ｃの上端部には、前記複数の支柱１１の下端部における固定箇所を被覆する立ち上がり笠木８が設けられており、
前記面格子２０における前記連結部２２は、前記立ち上がり笠木８の上方に配置されていることを特徴とする。
【０００９】
請求項２に記載の発明によれば、立ち上がり部２ｃの上端部には、複数の支柱１１の下端部における固定箇所を被覆する立ち上がり笠木８が設けられており、面格子２０における連結部２２が、立ち上がり笠木８の上方に配置されているので、面格子２０やバルコニー手摺１０を伝う雨水が垂れても、立ち上がり笠木８の裏側への雨水の浸入を抑制できる。
【００１２】
請求項３に記載の発明は、例えば図６に示すように、請求項１または２に記載の面格子２０の設置構造において、
前記支柱１１は、
前記バルコニー床５の屋外側縁部に固定された支柱本体１１ａと、
前記支柱本体１１ａに被せられた支柱カバー材１１ｂと、を有しており、
前記連結部２２における前記連結部本体２５および前記第一カバー材２６は、前記支柱１１における前記支柱カバー材１１ｂを貫通し、かつ前記支柱本体１１ａにねじ込まれた固定具２９によって固定されていることを特徴とする。
【００１３】
請求項３に記載の発明によれば、連結部２２における連結部本体２５および第一カバー材２６が、支柱１１における支柱カバー材１１ｂを貫通し、かつ支柱本体１１ａにねじ込まれた固定具２９によって固定されているので、これら連結部本体２５および第一カバー材２６を支柱１１に対して強固に固定することができる。
【００１４】
請求項４に記載の発明は、例えば図３に示すように、請求項１〜３のいずれか一項に記載の面格子２０の設置構造において、
前記バルコニー手摺１０は、前記バルコニー床５の屋外側縁部における一端部から他端部にかけての範囲で設けられており、
前記面格子２０は、前記バルコニー手摺１０が設けられる範囲よりも小さい範囲で前記バルコニー手摺１０の屋外側に設けられていることを特徴とする。
【００１５】
請求項４に記載の発明によれば、面格子２０は、バルコニー手摺１０が設けられる範囲よりも小さい範囲でバルコニー手摺１０の屋外側に設けられているので、面格子２０は、バルコニー手摺１０を部分的に覆うことができる。これによって、一つのバルコニー２に対して、面格子２０によって目隠しできる箇所と、面格子２０によって目隠しされない開放的かつ採光性に優れたな箇所を形成することができる。
【００１６】
請求項５に記載の発明は、例えば図２に示すように、請求項１〜４のいずれか一項に記載の面格子２０の設置構造において、
前記面格子２０は、前記バルコニー床５の屋外側縁部と、前記バルコニー床５の上方において屋外側に張り出す上部構造部９の屋外側縁部と、の間に収まった状態で前記バルコニー手摺１０の屋外側に設けられていることを特徴とする。
【００１７】
請求項５に記載の発明によれば、面格子２０は、バルコニー床５の屋外側縁部と、バルコニー床５の上方において屋外側に張り出す上部構造部９の屋外側縁部と、の間に収まった状態でバルコニー手摺１０の屋外側に設けられているので、面格子２０が屋外側に突出した場合に比して、外観意匠性を向上させることができる。
【発明の効果】
【００１８】
本発明によれば、面格子がバルコニーに面して設置される場合においてバルコニー周りの施工性を向上できるとともに防水を確保できる。
【図面の簡単な説明】
【００１９】
【図１】バルコニー手摺の屋外側に面格子が設けられた建物を示す斜視図である。
【図２】バルコニー付近を示す断面図である。
【図３】バルコニー付近を示す正面図である。
【図４】面格子の下端部における構造を示す正面図である。
【図５】面格子の下端部における構造を示す平面図である。
【図６】バルコニー手摺および面格子の下端部付近の構造を示す断面図である。
【図７】連結部の構造を説明する図である。
【図８】連結部本体同士の連結部分を説明する図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
図１において符号１は、建物を示す。この建物１は、地上五層構造の戸建住宅であり、第二層、第三層、第四層に、建物１の一方の側面と直交する他方の側面とに亘って略Ｌ型に形成されたバルコニー２，３，４が設けられている。また、各層には部屋がある。
なお、本実施形態において建物１は、地上五層構造の戸建住宅としたが、これに限られるものではなく、いわゆるマンションやアパート等の複数階建て集合住宅でもよい。
【００２２】
図２は、建物１のうち、特に第二層のバルコニー２付近を示す断面図である。バルコニー２の床と部屋の床には、同一または連続する床スラブが用いられており、本実施形態においては、この床スラブのうちバルコニー２の領域内に位置する部位をバルコニー床５と称する。
また、バルコニー床５を構成する床スラブは、建物１の躯体を構成する梁６の上面に設けられて、この梁６によって支持されている。
なお、本実施形態の床スラブは、ＡＬＣ（autoclaved lightweight concrete）パネルによって構成されている。ただし、ＡＬＣパネルに限られず、耐火性能に優れたものであれば適宜採用してもよいものとする。
【００２３】
バルコニー２の床面は、バルコニー床５である床スラブの上に設けられたバルコニー用スラブ２ａと、バルコニー用スラブ２ａに設置された床面材２ｂ等によって構成されている。
バルコニー床５の屋外側縁部には、床面材２ｂよりも上方に立ち上がった立ち上がり部２ｃ（パラペットともいう）が設けられ、立ち上がり部２ｃの上端部にバルコニー手摺１０が設けられている。
立ち上がり部２ｃは、梁６に固定された手摺支持部７によって支持されている。この手摺支持部７は、床スラブであるバルコニー床５の屋外側縁部を貫通した受部７ａと、この受部７ａの上端部に設けられた手摺受フレーム７ｂと、を有する。
手摺受フレーム７ｂは、図２，図４に示すように略逆Ｌ字型に形成されており、上面に、後述する複数の支柱１１が固定され、屋外側面およびバルコニー側面に仕上げ材が設けられている。また、この手摺受フレーム７ｂの上端部には、図示しない取付部材を介して、立ち上がり笠木８が設けられている。
【００２４】
バルコニー手摺１０は、複数の支柱１１と、手摺面材１２と、手摺笠木１３と、を備える。
このバルコニー手摺１０は、図１，図３に示すように、略Ｌ型に形成されたバルコニー２のうちの一方側の箇所において、バルコニー床５の屋外側縁部における一端部から他端部にかけての範囲で設けられている。換言すれば、バルコニー２における図３に示す向きの箇所では、端から端にかけてバルコニー手摺１０が設けられている。
【００２５】
複数の支柱１１は、バルコニー床５の屋外側縁部に互いに間隔を空けて設けられたものである。上述のようにバルコニー床５の屋外側縁部には立ち上がり部２ｃがあるため、これら複数の支柱１１は、立ち上がり部２ｃに互いに間隔を空けて設けられている。
支柱１１は、バルコニー床５の屋外側縁部、すなわち立ち上がり部２ｃに固定された支柱本体１１ａと、支柱本体１１ａに被せられた支柱カバー材１１ｂと、を有する。
【００２６】
支柱本体１１ａは、断面矩形棒状（厚みのある板状でもよい）に形成されており、図６に示すように、手摺支持部７の上面に固定されたベースプレート１１ｃと一体形成されている。支柱本体１１ａにおける下端部とベースプレート１１ｃは、立ち上がり笠木８によって被覆されている。
支柱本体１１ａは、ベースプレート１１ｃの上面におけるバルコニー２側端部に設けられている。また、ベースプレート１１ｃ自体も、立ち上がり部２ｃ全体から見れば、バルコニー２側に寄せて配置されている。そのため、複数の支柱１１も、立ち上がり部２ｃ全体から見ると、バルコニー２側に配置された状態となる。
【００２７】
支柱カバー材１１ｂは、その下端面が、立ち上がり笠木８の上面に接するようにして設けられている。なお、この支柱カバー材１１ｂの下端部と立ち上がり笠木８の上面との間は、例えばコーキング材等によって防水処理される。
また、支柱カバー材１１ｂは断面矩形枠状に形成されており、支柱カバー材１１ｂの内側面と、支柱本体１１ａにおける屋外側面およびバルコニー側面とが接した状態となっている。
【００２８】
手摺面材１２は、複数の支柱１１における屋外側面間に架け渡されて設けられたものであり、透光性を有するガラスや樹脂等の材料によって構成されている。なお、透視性の有無については特に限定されないものとする。
【００２９】
手摺笠木１３は、複数の支柱１１の上端部間に架け渡されて設けられたものである。また、この手摺笠木１３の屋外側端部は屋外側に突出しており、この突出した部位には、手摺面材１２の上端部を保持する上端部保持部が設けられている。
【００３０】
そして、図１に示すように、以上のように構成されたバルコニー手摺１０の屋外側に面格子２０が設けられている。
バルコニー手摺１０が、上述のようにバルコニー２の端から端まで設けられているのに対し、この面格子２０は、バルコニー手摺１０が設けられる範囲よりも小さい範囲（短い範囲）でバルコニー手摺１０の屋外側に設けられている。
面格子２０が設けられる範囲について、より具体的に説明すると、この面格子２０は、その幅寸法が、図３に示すようにバルコニー手摺１０の幅寸法よりも短く設定されている。さらに、面格子２０は、一端部（図３中の左側の端部）とバルコニー２の側壁との間に間隔を空けた状態で設けられている。
【００３１】
さらに、面格子２０は、バルコニー床５の屋外側縁部と、バルコニー床５の上方において屋外側に張り出す上部構造部の屋外側縁部と、の間に収まった状態でバルコニー手摺１０の屋外側に設けられている。
より具体的に説明すると、バルコニー床５の屋外側縁部には、上述のように立ち上がり部２ｃがある。また、図２に示すように、バルコニー２におけるバルコニー床５の上方には、バルコニー２の天井に相当する部分と、上層のバルコニー３におけるバルコニー床に相当する部分を含んで構成された上部構造部９がある。そして、面格子２０は、バルコニー床５の屋外側縁部にある立ち上がり部２ｃと、バルコニー２の天井を構成する上部構造部９の屋外側縁部との間に位置するようにして設けられている。
【００３２】
このような面格子２０は、互いに間隔を空けて配置された複数の縦格子材２１と、複数の縦格子材２１の下端部を連結する連結部２２と、複数の縦格子材２１の上端部を連結する上端部用横桟材２３と、上端部用横桟材２３を吊った状態にする吊部材２４と、を備える。
【００３３】
縦格子材２１は、断面視においてバルコニー２側から屋外側に向かうにつれて徐々に先細りする台形状に形成されている。
これによって、例えば同一の見付け幅の矩形断面の縦格子を採用する場合に比して、建物１の部屋側から屋外を見た際の眺望や採光を拡大しつつ、屋外から部屋側への視線を少なくすることができる。
【００３４】
上端部用横桟材２３は、上述のように複数の縦格子材２１の上端部を連結するものであり、複数の縦格子材２１の並び方向に沿って長尺に形成されている。また、この上端部用横桟材２３は、複数の縦格子材２１の上端部におけるバルコニー２側面に取り付けられている。
また、この上端部用横桟材２３は、長さ方向の両端部を含む複数の箇所に取り付けられた吊部材２４によって吊られた状態となっている。吊部材２４は、上部構造部９の内部に位置する建物の梁６の下面に固定されている。そのため、上端部用横桟材２３は、吊部材２４を介して梁６に取り付けられた状態となっている。なお、吊部材２４における梁６への固定箇所は、上部構造部９を構成するとともにバルコニー２の軒天井を構成する軒天井材９ａによって遮蔽されている。
【００３５】
連結部２２は、上述のように複数の縦格子材２１の下端部を連結しつつ、バルコニー手摺１０における複数の支柱１１の下端部間に架け渡されて固定されているものであり、複数の縦格子材２１の並び方向に沿って長尺に形成されている。また、この連結部２２は、複数の縦格子材２１の下端部におけるバルコニー２側面に取り付けられている。
連結部２２は、バルコニー手摺１０における手摺面材１２の下方に配置されている。さらに、この連結部２２は、立ち上がり笠木８の上方に配置されている。すなわち、連結部２２の位置関係について詳細に説明すると、まず上述のようにバルコニー手摺１０における複数の支柱１１は、立ち上がり部２ｃを全体的に見た場合にバルコニー２側に配置された状態となっている。そのため、連結部２２は、複数の支柱１１の前方であって、立ち上がり笠木８の上方に配置された状態となる。また、手摺面材１２は、手摺笠木１３における上端部保持部によって保持されて、支柱１１の屋外側に位置した状態となっているので、連結部２２は、手摺面材１２の下方に配置された状態となる。
さらに、この連結部２２の前方屋外側に位置する縦格子材２１も立ち上がり笠木８の上方に設けられている。
つまり、側面視において、立ち上がり笠木８の幅寸法の範囲内に、バルコニー手摺１０における支柱１１と、面格子２０における縦格子材２１および連結部２２とが収まった状態となっている。そのため、複数の縦格子材２１を、建物１の外壁よりも屋外側に突出しない状態とすることができる。
【００３６】
連結部２２は、図６〜図８に示すように、連結部本体２５と、第一カバー材２６と、第二カバー材２７と、固定下地部２８と、を有する。また、この連結部２２は、長さ方向に同一断面を有する長尺部材であり、必要に応じて、長さ方向側端部に端部キャップが設けられる。
【００３７】
連結部本体２５は、第一カバー材２６と共に複数の支柱１１に対して固定されるものであり、略Ｔ字型に形成されている。連結部本体２５は、複数の支柱１１の屋外画面に対して固定された固定板部２５ａと、固定板部２５ａの高さ方向中央部から屋外側に突出する突出板部２５ｂと、を備えている。
なお、この連結部本体２５は、略Ｌ字型に形成された上側部材と、略Ｌ字型に形成された下側部材と、が組み合わせられることによって形成されている。より詳細には、上側部材と下側部材のうち、連結部本体２５における突出板部２５ｂを構成する部位同士が溶接等により接合されている。
連結部本体２５は、図８に示すように、複数の連結部本体２５同士を長さ方向に連結することができる。その連結部位においては、一方の連結部本体２５の上側部材が、下側部材よりも突出することで一方の継手が形成され、他方の連結部本体２５の下側部材が、上側部材よりも突出することで他方の継手が形成されており、相決り継ぎの形態で、複数の連結部本体２５同士を突き付けて連結できるようになっている。
【００３８】
連結部本体２５における突出板部２５ｂの上面屋外側には、断面略コ字型に形成された固定下地部２８が設けられている。この固定下地部２８は、突出板部２５ｂの上面に固定される固定部２８ａと、第一下地部２８ｂと、第二下地部２８ｃと、を有する。
第一下地部２８ｂは、固定部２８ａのバルコニー２側縁部から上方に突出する壁状部であり、後述する第一カバー材２６を固定するための下地として機能する。この第一下地部２８ｂにおける上端部の高さ位置と、連結部本体２５における上端部の高さ位置は略等しく設定されている。
第二下地部２８ｃは、固定部２８ａの屋外側縁部から上方に突出する壁状部であり、後述する第二カバー材２７を固定するための下地として機能する。この第二下地部２８ｃの屋外側面と、連結部本体２５の突出方向側端面は面一の状態となっている。
【００３９】
第一カバー材２６は、連結部本体２５の上面側からバルコニー手摺１０側を介して連結部本体２５の下面側にかけて設けられて、連結部本体２５と共に複数の支柱１１に固定されている。
この第一カバー材２６は、金属板が折曲加工されることによって形成されており、第一板部２６ａ〜第五板部２６ｅからなる五つの面と、これら各板部２６ａ〜２６ｅの折曲箇所である四つの角を有する。
第一板部２６ａは、固定下地部２８における第一下地部２８ｂに対してビスやリベット等の固定具によって固定されている。
第二板部２６ｂは、固定下地部２８における第一下地部２８ｂの上端部と、連結部本体２５における上端部との間に架け渡されて設けられている。
第三板部２６ｃは、連結部本体２５と支柱１１との間に挟み込まれており、連結部本体２５と共に支柱１１に対して固定されている。
第四板部２６ｄは、第三板部２６ｃの下端部から屋外側に突出して形成され、連結部２２自体の下面の大部分を構成している。
第五板部２６ｅは、第四板部２６ｄの突端部から連結部本体２５の突端部に向かって突出するようにして形成されている。
【００４０】
第二カバー材２７は、連結部本体２５および第一カバー材２６の上面側から複数の縦格子材２１側を介して連結部本体２５および第一カバー材２６の下面側にかけて設けられて、複数の縦格子材２１に固定されている。なお、この第二カバー材２７は、施工工程上、連結部本体２５および第一カバー材２６が支柱１１に固定された後に、これら連結部本体２５および第一カバー材２６に被せられるものである。
この第二カバー材２７は、金属板が折曲化膿されることによって形成されており、第一板部２７ａ〜第三板部２７ｃからなる三つの面と、これら各板部２７ａ〜２７ｃの折曲箇所である二つの角を有する。
第一板部２７ａは、連結部２２自体の上面を構成しており、第一カバー材２６における第二板部２６ｂの上面を被覆するようにして設けられている。
第二板部２７ｂは、連結部本体２５および固定下地部２８における第二下地部２８ｃと、縦格子材２１との間に挟み込まれており、固定下地部２８における第二下地部２８ｃに対して固定されている。
第三板部２７ｃは、第二板部２７ｂの下端部からバルコニー２側に突出して形成され、第一カバー材２６における第四板部２６ｄの屋外側縁部を被覆しており、連結部２２自体の下面の一部を構成している。
【００４１】
連結部２２における連結部本体２５および第一カバー材２６は、図６，図７に示すように、支柱１１における支柱カバー材１１ｂを貫通し、かつ支柱本体１１ａにねじ込まれた固定具２９によって固定されている。
固定具２９は、屋外側から連結部本体２５における上下の固定板部２５ａに向かって設けられる。しかしながら、上側の固定板部２５ａに向かって設けられる場合の軌道上には、固定下地部２８の第一下地部２８ｂおよび第二下地部２８ｃと、第一カバー材２６の第一板部２６ａがある。また、上側の固定板部２５ａに向かって設けられる場合の軌道上には、第一カバー材２６の第五板部２６ｅがある。そこで、これら固定具２９の軌道上にある各部には、屋外側からバルコニー２側に向かって固定具２９を挿通させることが可能な貫通孔２９ａが形成されており、固定具２９を上下の固定板部２５ａから支柱１１に向かって設けることができる。
なお、支柱１１には、固定具２９をねじ込むための下穴が予め形成されていてもよいものとする。
また、支柱カバー材１１ｂにおける固定具２９が貫通した箇所は、例えばコーキング材等によって防水処理されてもよい。
【００４２】
第二カバー材２７は、図７に示すように、複数の縦格子材２１のバルコニー２側面を貫通する固定具３０によって複数の縦格子材２１に固定されている。第二カバー材２７は、面格子２０の例えば製造時や現場で予め複数の縦格子材２１に固定されているものとする。
【００４３】
第二カバー材２７は、図４〜図７に示すように、固定下地部２８における第二下地部２８ｃに対して固定具３１によって固定されている。
固定具３１は、複数の縦格子材２１間の隙間において、第二カバー材２７の屋外側面から第二下地部２８ｃに向かって捩じ込まれている。これによって、第二カバー材２７が、連結部本体２５および第一カバー材２６に覆いかぶさった状態となり、連結部２２を構成する各部が一体化した状態となる。
第二カバー材２７の裏面側に雨水が浸入した場合は、雨水が第一カバー材２６の上面を伝って、固定下地部２８側に流れることになる。固定下地部２８は、断面視において上向きコ字型に形成されているため、流れてきた雨水を受けることができる。そのため、第二カバー材２７の裏面側に雨水が浸入した場合であっても、連結部２２と複数の支柱１１との間の接合箇所に水の影響が出にくい。
【００４４】
なお、手摺面材１２の下端部は、支柱１１の屋外側面に設けられた下枠部１４によって保持されている。下枠部１４は、この下枠部１４を支柱１１に保持させるための保持部１４ａを有しており、この保持部１４ａの下端部は、図６に示すように、支柱１１と連結部２２との間に挟み込まれたような状態となっている。
【００４５】
面格子２０をバルコニー手摺１０の屋外側に設ける際は、まず、連結部２２における第二カバー材２７と、上端部用横桟材２３とによって複数の縦格子材２１同士が連結された状態として面格子２０を形成しておく。この工程は、工場で行われてもよいし、現場で行われてもよい。
続いて、バルコニー手摺１０における支柱１１に、連結部本体２５および第一カバー材２６を固定する。さらに、吊部材２４を、上部構造部９に設けられた建物１の梁６に固定する。
続いて、面格子２０を、連結部本体２５および第一カバー材２６と、吊部材２４とに固定する。すなわち、面格子２０の下端部においては、第二カバー材２７によって連結部本体２５および第一カバー材２６を被覆して、第二カバー材２７を固定具３１によって固定下地部２８に固定する。面格子２０の上端部においては、上端部用横桟材２３を吊部材２４に固定する。
以上のようにして、面格子２０をバルコニー手摺１０の屋外側に設けることができる。
【００４６】
本実施の形態によれば、面格子２０が、複数の縦格子材２１の下端部を連結するとともに、バルコニー手摺１０における複数の支柱１１の下端部間に架け渡されて固定された長尺な連結部２２を備えるので、面格子２０をバルコニー手摺１０の屋外側に設置する場合においては、面格子２０の少なくとも下端部を外壁面に取り付ける必要がなくなる。そして、この面格子２０は、少なくとも下端部が、例えば面格子２０が外壁面に取り付けられる場合よりも防水の面で影響の出にくい複数の支柱１１に固定された状態となっている。したがって、連結部２２が固定された位置における防水処理を比較的簡易に行うことができ、余計な施工手間がかからない。
面格子２０における連結部２２は、バルコニー手摺１０における手摺面材１２の下方に配置されているので、連結部２２によって連結された複数の縦格子材２１を、手摺面材１２の屋外側に配置することが可能となる。また、これによって、手摺面材１２の下端部の位置と、支柱１１に固定された連結部２２の位置とが近接した状態となるので、施工しやすい。
さらに、バルコニー手摺１０は、複数の支柱１１間に架け渡されて設けられた透光性を有する手摺面材１２を備えるので、バルコニー２側への採光を確保できる。
【００４７】
また、立ち上がり部２ｃの上端部には、複数の支柱１１の下端部における固定箇所を被覆する立ち上がり笠木８が設けられており、面格子２０における連結部２２が、立ち上がり笠木８の上方に配置されているので、面格子２０やバルコニー手摺１０を伝う雨水が垂れても、立ち上がり笠木８の裏側への雨水の浸入を抑制できる。
【００４８】
また、連結部２２が、連結部本体２５と、この連結部本体２５と共に複数の支柱１１に固定された第一カバー材２６と、連結部本体２５および第一カバー材２６の上面側から複数の縦格子材２１側を介して連結部本体２５および第一カバー材２６の下面側にかけて設けられて、複数の縦格子材２１に固定された第二カバー材２７と、を有するので、第二カバー材２７によって連結部本体２５と第一カバー材２６とを被覆するようにして、面格子２０をバルコニー手摺１０の屋外側に設けることができる。また、連結部本体２５と第一カバー材２６とを被覆する第二カバー材２７が、連結部本体２５および第一カバー材２６よりも屋外側に位置した状態となるので、防水性を向上させることができる。
【００４９】
また、連結部２２における連結部本体２５および第一カバー材２６が、支柱１１における支柱カバー材１１ｂを貫通し、かつ支柱本体１１ａにねじ込まれた固定具２９によって固定されているので、これら連結部本体２５および第一カバー材２６を支柱１１に対して強固に固定することができる。
【００５０】
また、面格子２０は、バルコニー手摺１０が設けられる範囲よりも小さい範囲でバルコニー手摺１０の屋外側に設けられているので、面格子２０は、バルコニー手摺１０を部分的に覆うことができる。これによって、一つのバルコニー２に対して、面格子２０によって目隠しできる箇所と、面格子２０によって目隠しされない開放的かつ採光性に優れたな箇所を形成することができる。
【００５１】
また、面格子２０は、バルコニー床５の屋外側縁部と、バルコニー床５の上方において屋外側に張り出す上部構造部９の屋外側縁部と、の間に収まった状態でバルコニー手摺１０の屋外側に設けられているので、面格子２０が屋外側に突出した場合に比して、外観意匠性を向上させることができる。
【符号の説明】
【００５２】
１  建物
２  バルコニー
５  バルコニー床
８  立ち上がり笠木
１０  バルコニー手摺
１１  支柱
１２  手摺面材
２０  面格子
２１  縦格子材
２２  連結部
２５  連結部本体
２６  第一カバー材
２７  第二カバー材
２８  固定下地部
２９  固定具
３０  固定具
【図１】
0006795906.tif 000002
【図２】
0006795906.tif 000003
【図３】
0006795906.tif 000004
【図４】
0006795906.tif 000005
【図５】
0006795906.tif 000006
【図６】
0006795906.tif 000007
【図７】
0006795906.tif 000008
【図８】
0006795906.tif 000009